(57)【要約】  本発明は、冷凍機、特に家庭用冷凍機であって、蒸発器が設けられていて、該蒸発器が時々、除霜ヒータ（１０１）を使用しながら除霜過程にもたらされ、除霜ヒータ（１０１）が、前記蒸発器の少なくとも近傍領域に配置された温度センサ（１０７）によって、該温度センサによる予め設定された温度への到達後に、または予め設定された期間後に、スイッチオフされる形式のものにおいて、１回の除霜過程中に、予め設定された除霜温度経過に従って、それぞれ異なる少なくとも２つの除霜温度を発生させる除霜ヒータ（１０１）が形成されている冷凍機に関する。
2012513010.tif 000002
【特許請求の範囲】
【請求項１】
冷凍機、特に家庭用冷凍機であって、蒸発器が設けられていて、該蒸発器が、時々除霜ヒータ（１０１）を使用しながら除霜過程にもたらされ、前記除霜ヒータ（１０１）が、前記蒸発器の少なくとも近傍領域に配置された温度センサ（１０７）によって、該温度センサによる予め設定された温度への到達後に、または予め設定された期間後に、スイッチオフされる形式のものにおいて、１回の除霜過程中に、予め設定された除霜温度経過に従って、それぞれ異なる少なくとも２つの除霜温度を発生させる除霜ヒータ（１０１）が形成されていることを特徴とする、冷凍機。
【請求項２】
前記予め設定された除霜温度経過が、平均的な第１の除霜温度を有する第１の除霜温度区分（２０３）と、該第１の除霜温度区分（２０３）に続く中間除霜温度区分（２０１）、特に傾斜した除霜温度区分と、中間除霜温度区分（２０１）に続く、平均的な第２の除霜温度を有する第３の除霜温度区分（２０５）とを有している、請求項１記載の冷凍機。
【請求項３】
前記中間除霜温度区分（２０１）が降下していて、特に連続的に降下している、請求項１または２記載の冷凍機。
【請求項４】
前記第１の除霜温度区分（２０３）が、前記第３の除霜温度区分（２０５）よりも高い温度を有している、請求項１から３までのいずれか１項記載の冷凍機。
【請求項５】
第１の除霜温度区分（２０３）および第２の除霜温度区分（２０５）の除霜温度が、少なくともほぼ一定である、請求項１から４までのいずれか１項記載の冷凍機。
【請求項６】
前記除霜ヒータ（１０１）を制御する制御装置（１０５）が設けられており、該制御装置（１０５）は、予め設定された第１の時間内で前記第１の除霜温度を発生させ、予め設定された第２の時間内で、一定の第２の除霜温度に到達するまで、直線的に低下する除霜温度を発生させるように形成されている、請求項１から５までのいずれか１項記載の冷凍機。
【請求項７】
前記除霜温度経過が、それぞれ異なる一定の複数の除霜温度を有していて、該複数の除霜温度が、該除霜温度の間に配置された、傾斜して上昇または降下する、予め設定された期間の除霜温度区分を有している、請求項１から６までのいずれか１項記載の冷凍機。
【請求項８】
予め設定された期間内で除霜過程を実施する制御装置が設けられている、請求項１から７までのいずれか１項記載の冷凍機。
【請求項９】
当該冷凍機が、冷却・冷凍するべき庫の外側に配置された蒸発器を備えたノー・フロスト型冷凍機として形成されており、蒸発器が、特に温度センサを有する薄片付き蒸発器として形成されている、請求項１から８までのいずれか１項記載の冷凍機。
【請求項１０】
特に請求項１から９までのいずれか１項記載の冷凍機の除霜過程を調節する方法であって、以下のステップ、すなわち、
ａ）第１の温度レベルを有する第１の除霜温度を第１の期間の間発生させるステップ、
ｂ）第１の除霜温度を第２の期間内で第２の温度レベルへ変更するステップ、および
ｃ）第２の温度レベルを第２の除霜温度として第３の期間の間維持するステップ
を含むことを特徴とする、冷凍機の除霜過程を調節する方法。
【請求項１１】
第１の除霜温度を第２の除霜温度にまで低下させ、特に連続的に低下させる、請求項１０記載の方法。
【請求項１２】
第１の期間と、第３の期間とを、少なくともほぼ同じ長さに設定する、請求項１０記載の方法。
【発明の詳細な説明】
【技術分野】
【０００１】
本発明は、冷凍機の分野、特に家庭用冷凍機の分野に関する。
【０００２】
現代の家庭用冷凍機は、除霜ヒータ（加熱体）を有している。除霜ヒータは、望ましくない霜もしくは氷を溶かすために設けられている。この場合、除霜期間は、たとえば冷凍機の蒸発器に取り付けられた温度センサによって制御される。温度センサは、予め設定された除霜終了温度を検出し、除霜ヒータは、この除霜終了温度への到達時にスイッチオフされるか、または別の最低除霜時間の間スイッチオンされている。この場合、除霜ヒータは、最小除霜時間内で安全温度閾値を上回った場合にのみスイッチオフされ得る。
【０００３】
しかし、設定された除霜終了温度への到達が早すぎると、除霜ヒータによって放出された熱は、蒸発器内で均等に分散することができない。これによって、温度センサからさらに離れた箇所では望ましくない氷が溶かされず、このことは不均一な除霜につながる。
【０００４】
本発明の課題は、冷凍機のためのより効果的な除霜コンセプトを提供することである。この課題を解決するために、請求項１の特徴部に記載の特徴によれば、冷凍機、特に家庭用冷凍機であって、蒸発器が設けられていて、該蒸発器が時々、除霜ヒータを使用しながら除霜過程にもたらされ、除霜ヒータが、前記蒸発器の少なくとも近傍領域に配置された温度センサによって、該温度センサによる予め設定された温度への到達後に、または予め設定された期間後に、スイッチオフされる形式のものにおいて、１回の除霜過程中に、予め設定された除霜温度経過に従って、それぞれ異なる少なくとも２つの除霜温度を発生させる除霜ヒータが形成されているようにした。
【０００５】
さらにこの課題を解決するために、請求項１０の特徴部に記載の特徴によれば、冷凍機の除霜過程を調節する方法において、第１の期間の間に第１の温度レベルを有する第１の除霜温度を発生させるステップ、第１の除霜温度を第２の期間内で第２の温度レベルに変更するステップおよび第２の温度レベルを第２の除霜温度として第３の期間の間維持するステップを含むことようにした。
【０００６】
有利な実施形態は従属請求項に記載されている。
【０００７】
本発明は、より効果的な除霜は、同一の除霜過程内で、予め設定されたそれぞれ異なる少なくとも２つの除霜温度を設けることによって実現され得るという認識に基づいている。したがって、たとえば除霜過程の開始時に、たとえばより高い温度を生ぜしめることができるので、短い除霜時間で蒸発器全体において確実な除霜が達成され得る。次いで、たとえばより低い除霜温度を生ぜしめることができる。この低い除霜温度は、より長い除霜時間で蒸発器における均一な熱分配を確実にする。これによってエネルギ効率的に均一な除霜が達成される。
【０００８】
本発明は、１つの観点によれば冷凍機、特に家庭用の冷凍機に関する。この場合、冷凍機は蒸発器を有しており、該蒸発器が時々、除霜ヒータの除霜過程にもたらされる。除霜ヒータは、蒸発器の少なくとも近傍領域に配置された温度センサにより、該温度センサによる予め設定された温度への到達後に、または予め設定された期間後にスイッチオフされる。この場合、除霜過程の間に、予め設定された除霜温度経過に従って、それぞれ異なる少なくとも２つの温度を発生させる除霜ヒータが形成されている。予め設定された除霜温度経過はたとえば、除霜過程の開始時により高い除霜温度を生ぜしめ、設定された期間の経過後により低い第２の除霜温度を生ぜしめ、この第２の除霜温度が除霜期間の終了時まで維持され得ることを規定することができる。
【０００９】
有利な実施形態によれば、予め設定された除霜温度経過は、平均的な第１の除霜温度を有する第１の除霜温度区分と、第１の除霜温度区分に続く中間除霜温度区分、特に傾斜した除霜温度区分と、中間除霜温度区分に続く、平均的な第２の除霜温度を有する第３の除霜温度区分とを有している。
【００１０】
別の実施形態によれば、中間除霜温度区分は、降下していて、特に連続的に降下している。
【００１１】
別の実施形態によれば、第１の除霜温度区分は、第３の除霜温度区分よりも高い温度を有している。
【００１２】
別の実施形態によれば、第１の除霜温度区分および第２の除霜温度区分の除霜温度は、少なくともほぼ一定である。
【００１３】
別の実施形態によれば、除霜ヒータを制御する制御装置が設けられていて、該制御装置は、予め設定された第１の時間内で第１の除霜温度を発生させ、予め設定された第２の時間内で、第２の一定の除霜温度に到達するまで、直線的に低下する除霜温度を発生させるように形成されている。
【００１４】
別の実施形態によれば、除霜温度経過が、それぞれ異なる一定の複数の除霜温度を有していて、該複数の除霜温度が、該除霜温度の間に配置された、傾斜して上昇または降下する、予め設定された期間の除霜温度区分を有している。
【００１５】
別の実施形態によれば、予め設定された期間内で除霜過程を実施する制御装置が設けられている。
【００１６】
別の実施形態によれば、冷凍機が、冷却・冷凍するべき庫の外側に配置された蒸発器を備えたノー・フロスト型（無霜型）冷凍機として形成されており、蒸発器は特に温度センサを有する薄片付き蒸発器として形成されている。
【００１７】
本発明は別の観点によれば、冷凍機の除霜過程を調節する方法であって、第１の温度レベルを有する第１の除霜温度を第１の期間の間発生させるステップ、第１の除霜温度を第２の期間内で第２の温度レベルへと変更するステップおよび第２の温度レベルを第２の除霜温度として第３の期間の間維持するステップを含む方法に関する。
【００１８】
別の実施形態によれば、第１の除霜温度を第２の除霜温度にまで低下させ、特に連続的に低下させる。
【００１９】
別の実施形態を添付の図面に関連して以下に詳しく説明する。
【図面の簡単な説明】
【００２０】
【図１】除霜ヒータの原理的なブロック線図である。
【図２】例示的な除霜加熱過程を示す図である。
【００２１】
図１は、除霜ヒータ１０１のブロック線図を示している。除霜装置１０１もしくは除霜ヒータ１０１は、たとえば、家庭用冷凍機において使用され得る。除霜ヒータ１０１は、除霜ヒータ１０３と、制御装置１０５と、温度センサ１０７とを有している。温度センサ１０７は、実際の除霜温度を検出し、その除霜温度を制御装置１０５に伝達するように構成されている。制御装置１０５は、除霜ヒータ１０３を、予め設定された除霜温度経過に従って制御し、この場合、予め設定された除霜温度経過が時間的に温度センサにおいて生じるようになっている。
【００２２】
図２は、直線的に傾斜した中間除霜温度区分２０１を有する除霜温度経過を例示的に示している。中間除霜温度区分２０１は、一定の第１の除霜温度２０３と、一定の第２の除霜温度２０５とを接続している。第１の除霜温度２０３は、たとえば所定の温度値Ｔ１を有している。この温度値Ｔ１は、たとえば第１の時点ｔ１まで維持される。次いで、除霜温度は、第２の時点ｔ２まで低下され、この第２の時点ｔ２で、第２の温度値Ｔ２を有する一定の第２の除霜温度２０５が達成される。一定の第１の除霜温度２０３は、たとえば一定の第２の除霜温度２０５よりも高く、所定の期間の間だけ生ぜしめられる。この期間は、たとえば除霜過程の開始時に生ぜしめられて、僅かな時間、たとえば１秒、２秒、３秒、５秒、１０秒または３０秒の間維持される。これに対して第２の除霜温度２０５は、たとえば全除霜過程の終了時まで維持される。したがって、全体的に減じられた加熱出力で、均一な除霜効果を達成することが可能となる。
【図１】
2012513010.tif 000003
【図２】
2012513010.tif 000004
【国際調査報告】
2012513010.tif 000005
2012513010.tif 000006
2012513010.tif 000007
2012513010.tif 000008